(57)【特許請求の範囲】
【請求項１】
画像データを記録紙に形成する画像形成装置において、
情報を表示する表示部と、
予め変動する可能性がある情報として定められた１又は複数の変動情報を取得する変動情報取得部と、
固定的な情報である固定情報に関する画像を、予め設定された第１態様で前記表示部によって表示させ、前記１又は複数の変動情報のうち、前記変動情報取得部によってまだ取得されていない変動情報に関する画像を前記第１態様とは異なる第２態様で前記表示部によって表示させ、前記変動情報取得部によって取得された変動情報を前記第１態様の画像で前記表示部によって表示させる表示制御部と、
前記第１態様の画像として前記表示部に表示されている、前記固定情報及び前記変動情報に関連する機能について、操作指示を受け付ける指示受付部とを備え、
前記表示制御部は、前記変動情報取得部が前記変動情報を取得する処理を開始してから一定時間の間に取得できなかった前記変動情報に関する画像であって、前記第２態様で表示さている画像を、前記表示部から消去することを特徴とする画像形成装置。
【請求項２】
前記固定情報は、スキャナの機能に使用される要素の前記画像読取部への取付有無を示す情報であり、
前記表示制御部は、前記画像形成装置が起動すると、前記固定情報を読み出して、前記スキャナの機能が使用可能であることを示すスキャナ機能待機画面画像を前記表示部に表示し、
前記変動情報取得部は、前記スキャナ機能待機画面画像が表示されると、前記変動情報を取得する処理を開始し、
前記表示制御部は、前記変動情報取得部が前記変動情報を取得する処理の実行中に、前記スキャナの機能が実行可能であることを示す前記スキャナ機能待機画面画像を表示する請求項１記載の画像形成装置。
【請求項３】
前記表示部は、画面の操作を操作指示として受け付けるタッチパネル機能を備え、
前記変動情報に関する画像は、当該変動情報に関連する機能についての操作指示を受け付けるための操作ボタンを示す画像であり、
前記画像で示された操作ボタンは、前記第１態様で前記タッチパネルに表示されているとき、前記指示受付部として機能する
ことを特徴とする請求項１又は２に記載の画像形成装置。
【請求項４】
互いにサイズの異なる用紙を収納する収納部を複数備え、
前記変動情報は、前記各収納部における用紙の有無を示す情報であり、
前記操作ボタンは、前記変動情報取得部により取得された変動情報に基づいて用紙有とされた収納部の中から、用紙を選択する選択指示を受け付けるためのボタンである
ことを特徴とする請求項３に記載の画像形成装置。
【請求項５】
少なくとも前記表示制御部を含む装置本体を備えており、
前記装置本体は、所定の機能を有するオプション装置を取付可能に構成されており、
前記１又は複数の変動情報は、前記オプション装置の有無を示す情報であり、
前記変動情報に関する画像は、前記オプション装置の外観を表す図形の画像である
ことを特徴とする請求項１乃至請求項４のいずれか一項に記載の画像形成装置。
【請求項６】
前記固定情報に関する画像を前記第１態様で示し、前記変動情報に関する画像を前記第２態様で示した前記表示部１画面分の画像を示す画像データを予め記憶する記憶部を備えており、
前記表示制御部は、前記画像形成装置の起動時に前記記憶部に記憶された前記画像データで示される前記画像を前記表示部に表示させる固定表示制御部と、前記変動情報取得部によって取得された変動情報に関する画像を前記第１態様に変更する変動表示制御部と、を備える
ことを特徴とする請求項１乃至請求項５のいずれか一項に記載の画像形成装置。
【請求項７】
前記第１態様は、前記固定情報及び前記変動情報に関する画像を実線で表す態様であり、
前記第２態様は、前記変動情報に関する画像を破線で表す態様である
ことを特徴とする請求項１乃至請求項６のいずれか一項に記載の画像形成装置。
【請求項８】
前記第１態様は、前記固定情報及び前記変動情報に関する画像を実線で囲む態様であり、
前記第２態様は、前記変動情報に関する画像を破線で囲む態様である
ことを特徴とする請求項１乃至請求項６のいずれか一項に記載の画像形成装置。
【発明の詳細な説明】
【技術分野】
【０００１】
本発明は、画像形成装置に関するものである。
【背景技術】
【０００２】
ハイバネーション処理を行うことにより、電源起動後の起動処理や、スリープモードから通常モードへの移行処理を高速化した画像形成装置が、従来から存在する。この種の画像形成装置は、電源切断時やスリープモードへの移行が行われるときに、ハイバネーション処理を行って、揮発性メモリに記憶されているデータ、例えば、各種ハードウェアの初期化済み情報やレジスタ情報を不揮発性メモリに書き換える。
【０００３】
その後、当該画像形成装置は、電源投入時や通常モードへの復帰時に、不揮発性メモリに書き込まれた情報を揮発性メモリに移す。これにより、当該画像形成装置は、電源の切断やスリープモードへの移行直前の動作状態に戻ることが可能となる。
【０００４】
特許文献１に記載の情報処理装置は、ファームウェアの更新時に、ハイバネーション処理を行って、ファームウェア更新後用の表示画面情報を不揮発性メモリに記憶させる。そして、ファームウェア更新後、再起動を行い、不揮発性メモリ内の表示画面情報を読み出して揮発性メモリに書き写す。そして、当該揮発性メモリ内の表示画面情報を読み出して操作画面に表示させる。以上の処理をもって再起動が完了する。
【先行技術文献】
【特許文献】
【０００５】
【特許文献１】特開２００９−２５９１９７号公報
【発明の概要】
【発明が解決しようとする課題】
【０００６】
ところで、画像データが形成された用紙のステープル処理等を行うフィニッシャや自動原稿送り装置等のオプション装置は、画像形成装置の出荷時には設けられておらず、ユーザにより適宜取り付けられるものであるため、オプション装置の状態、例えば、画像形成装置への取付有無を表す状態は、ユーザによる当該画像形成装置の使用過程で変化しうる。
【０００７】
また、給紙カセットの状態、例えば、画像形成装置への取付有無を表す状態も、ユーザによる当該画像形成装置の使用過程で変化しうる。さらにまた、例えば、給紙カセット内の用紙の有無や残量、用紙サイズも変化しうる。
【０００８】
そして、これらオプション装置や給紙カセットへの駆動電力の供給が、電源の切断やスリープモードへの移行により遮断されると、オプション装置に問い合わせ信号を出力して返信信号の有無を待つ処理がされなくなったり、給紙カセットの装着を検知するセンサによる検知信号が出力されなくなるため、オプション装置や給紙カセットの状態が判らない。
【０００９】
そして、オプション装置や給紙カセットの状態が判らなければ、これらを用いた機能、例えば、コピー処理を実行できるか否かが判らない。
【００１０】
したがって、画像形成装置は、電源の再投入時や通常モードへの復帰時に、ユーザによる当該画像形成装置の使用過程で変化しうる要素の状態を表す各種情報を取得してから、当該画像形成装置の機能、例えば、コピー、ファックス、スキャニング等の実行を指示するための待機画面を表示する。
【００１１】
特許文献１記載の情報処理装置は、先述の処理を行うことにより、ファームウェアの更新後の再起動時間を短縮化しているが、上述の各種情報を収集し終わって再起動が完了するまでの間、操作画面が表示されない。したがって、再起動が完了するまでの間に、ユーザは当該情報処理装置に対していずれの機能をも実行させることができないため、当該ユーザにとっては不便である。
【００１２】
本発明は、上記の問題を解決するためになされたもので、起動処理が完了するのを待たずに、一部の機能を実行させることが可能な画像形成装置を提供することを目的とする。
【課題を解決するための手段】
【００１３】
本発明の一局面に係る画像形成装置は、画像データを記録紙に形成する画像形成装置において、情報を表示する表示部と、予め変動する可能性がある情報として定められた１又は複数の変動情報を取得する変動情報取得部と、固定的な情報である固定情報に関する画像を、予め設定された第１態様で前記表示部によって表示させ、前記１又は複数の変動情報のうち、前記変動情報取得部によってまだ取得されていない変動情報に関する画像を前記第１態様とは異なる第２態様で前記表示部によって表示させ、前記変動情報取得部によって取得された変動情報を前記第１態様の画像で前記表示部によって表示させる表示制御部と、前記第１態様の画像として前記表示部に表示されている、前記固定情報及び前記変動情報に関連する機能について、操作指示を受け付ける指示受付部とを備え、前記表示制御部は、前記変動情報取得部が前記変動情報を取得する処理を開始してから一定時間の間に取得できなかった前記変動情報に関する画像であって、前記第２態様で表示さている画像を、前記表示部から消去することを特徴とする。
【００１４】
画像形成装置は、起動するに当たり、先述したように、ユーザの当該画像形成装置の使用過程で変化しうる情報を取得し、当該情報を取得したときに起動処理が完了する。
【００１５】
この構成によれば、ユーザの画像形成装置の使用過程で変化しうる情報（以下、変動情報という）が、変動する可能性がある情報として予め定められており、当該変動情報を取得している途中に、当該変動情報に関する画像を第２態様で表示し、固定的な情報である固定情報に関する画像を第１態様で表示する。
【００１６】
また、この構成によれば、指示受付部によって、第１態様の画像として表示部に表示されている、固定情報及び変動情報に関連する機能について、操作指示を受け付ける。
【００１７】
これにより、画像形成装置が起動するに当たり、当該画像形成装置が変動情報取得部によって変動情報を取得している途中に、固定情報に関連する機能を実行させるための画像を待機画像として表示することができる。結果として、画像形成装置が起動を開始してから待機画像が表示されるまでの時間を短縮することが可能となる。
【００１８】
そしてまた、画像形成装置が起動するに当たり、当該画像形成装置が変動情報取得部によって変動情報を取得している途中に、待機画像において第１態様の画像として表示されている固定情報に関連する機能について操作指示を受け付けるため、ユーザは、変動情報の取得が完了するのを待たずに、固定情報に関連する機能を実行させることができる。結果として、ユーザは、起動処理が完了するのを待たずに、一部の機能を実行させることができる。
【００１９】
上記構成において、前記固定情報は、スキャナの機能に使用される要素の前記画像読取部への取付有無を示す情報であり、前記表示制御部は、前記画像形成装置が起動すると、前記固定情報を読み出して、前記スキャナの機能が使用可能であることを示すスキャナ機能待機画面画像を前記表示部に表示し、前記変動情報取得部は、前記スキャナ機能待機画面画像が表示されると、前記変動情報を取得する処理を開始し、前記表示制御部は、前記変動情報取得部が前記変動情報を取得する処理の実行中に、前記スキャナの機能が実行可能であることを示す前記スキャナ機能待機画面画像を表示することが好ましい。
上記構成において、前記表示部は、画面の操作を操作指示として受け付けるタッチパネル機能を備え、前記変動情報に関する画像は、当該変動情報に関連する機能についての操作指示を受け付けるための操作ボタンを示す画像であり、前記画像で示された操作ボタンは、前記第１態様で前記タッチパネルに表示されているとき、前記指示受付部として機能することが好ましい。
【００２０】
この構成によれば、操作ボタンに関する画像は、第１態様でタッチパネルに表示されているとき、変動情報に関連する機能についての操作指示を受け付ける指示受付部として機能する。
【００２１】
これにより、ユーザは、操作ボタンに関する画像が第１態様で表示されているとき、当該操作ボタンを操作して、当該操作ボタンに関連する機能、例えばコピー機能を実行させることが可能となる。
【００２２】
上記構成において、互いにサイズの異なる用紙を収納する収納部を複数備え、前記変動情報は、前記各収納部における用紙の有無を示す情報であり、前記操作ボタンは、前記変動情報取得部により取得された変動情報に基づいて用紙有とされた収納部の中から、用紙を選択する選択指示を受け付けるためのボタンであることが好ましい。
【００２３】
この構成によれば、各収納部における用紙の有無を示す情報を取得中には、用紙を選択する選択指示を受け付けるためのボタンに関する画像を第２態様で表示する。そして、当該ボタンに関する画像は、各収納部における用紙の有無を示す情報が取得できたとき、第１態様で表示される。
【００２４】
これにより、ユーザは、用紙を選択する選択指示を受け付けるボタンに関する画像が第２態様で表示されているとき、各収納部における用紙の有無を示す情報を取得中であることが判り、当該ボタンに関する画像の表示態様が第１態様に切り換わったとき、当該ボタンを操作して用紙選択を行い、当該用紙に関連する機能、例えばコピー機能を実行させることが可能となる。
【００２５】
上記構成において、少なくとも前記表示制御部を含む装置本体を備えており、前記装置本体は、所定の機能を有するオプション装置を取付可能に構成されており、前記１又は複数の変動情報は、前記オプション装置の有無を示す情報であり、前記変動情報に関する画像は、前記オプション装置の外観を表す図形の画像であることが好ましい。
【００２６】
この構成によれば、オプション装置の外観を表す図形の画像が第２態様で表示されているとき、当該オプション装置の有無を示す情報を取得中であることが判り、当該オプション装置の外観を表す図形の画像が第１態様で表示されているとき、当該オプション装置の有無を示す情報を取得できたことが判る。
【００２７】
上記構成において、前記固定情報に関する画像を前記第１態様で示し、前記変動情報に関する画像を前記第２態様で示した前記表示部１画面分の画像を示す画像データを予め記憶する記憶部を備えており、前記表示制御部は、前記画像形成装置の起動時に前記記憶部に記憶された前記画像データで示される前記画像を前記表示部に表示させる固定表示制御部と、前記変動情報取得部によって取得された変動情報に関する画像を前記第１態様に変更する変動表示制御部と、を備えることが好ましい。
【００２８】
この構成によれば、画像形成装置の起動時には、固定情報に関する画像を第１態様で示し、変動情報に関する画像を第２態様で示した表示部１画面分の画像が表示され、変動情報取得部によって変動情報が取得されたとき、当該変動情報に関する画像を第１態様に変更する。
【００２９】
また、指示受付部によって、第１態様の画像として表示部に表示されている、固定情報及び変動情報に関連する機能について、操作指示を受け付ける。
【００３０】
これにより、画像形成装置の起動時には、ユーザは、第２態様の画像として示されている変動情報を取得中に、第１態様の画像として示されている固定情報に関連する機能を実行させることが可能であることが判る。
【００３１】
そして、変動情報に関する画像の表示態様が第２態様から第１態様に変更されたとき、当該変動情報に関連する機能が実行可能になったことが判る。
【００３２】
また、表示制御部は、記憶部から画像データを読み出すだけで待機画面を表示させることができるため、画像形成装置の起動が開始されてから短時間で待機画面を表示させることができ、ユーザが速やかに当該待機画面を操作することが可能となる。
【００３３】
上記構成において、前記第１態様は、前記固定情報及び前記変動情報に関する画像を実線で表す態様であり、前記第２態様は、前記変動情報に関する画像を破線で表す態様であることが好ましい。
【００３４】
この構成によれば、第１態様では、固定情報及び変動情報に関する画像を実線で表し、第２態様では、変動情報に関する画像を破線で表す。
【００３５】
これにより、ユーザは、固定情報、及び、変動情報取得部によって取得中の変動情報と、変動情報取得部によって取得できた変動情報との区別を容易に行うことが可能となる。
【００３６】
上記構成において、前記第１態様は、前記固定情報及び前記変動情報に関する画像を実線で囲む態様であり、前記第２態様は、前記変動情報に関する画像を破線で囲む態様であることが好ましい。
【００３７】
この構成によれば、第１態様では、固定情報及び変動情報に関する画像を実線で囲み、第２態様では、変動情報に関する画像を破線で囲む。
【００３８】
これにより、ユーザは、固定情報、及び、変動情報取得部によって取得中の変動情報と、変動情報取得部によって取得できた変動情報との区別を容易に行うことが可能となる。
【発明の効果】
【００３９】
本発明によれば、ユーザは、起動処理が完了するのを待たずに、一部の機能を実行させることが可能となる。そのため、ユーザの利便性が向上する。
【図面の簡単な説明】
【００４０】
【図１】本発明に係る画像形成装置の一実施形態の内部構成の一例を示す側面図である。
【図２】ユーザインタフェース部の構成の一例を示した図である。
【図３】本実施形態に係る画像形成装置の機能モジュールの一例を示したブロック図である。
【図４】スキャナ機能待機画面画像の一例を示した図である。
【図５】表示制御処理の概要の一例を示したフローチャートである。
【図６】表示制御処理の概要の一例を示したフローチャートである。
【図７】表示制御処理によって表示部に最終的に表示されるコピー機能待機画面画像の一例を示した図である。
【発明を実施するための形態】
【００４１】
以下、本発明に係る画像形成装置の実施形態を、図面を用いて説明する。図１は、本発明に係る画像形成装置の一実施形態の内部構成の一例を示す側面図である。
【００４２】
図１に示す画像形成装置１は、コピー機能、プリンタ機能、スキャナ機能及びファクシミリ機能等の機能を兼ね備えたものである。画像形成装置１は、画像形成部１００、画像読取部４及び給紙部（収納部）５を備えた装置本体２と、この装置本体２の上部に設置された原稿押えを兼用する原稿搬送機構３とからなる。
【００４３】
そして、当該画像形成装置１には、装置本体２の一側辺部に設置されたフィニッシャ６が接続されている。
【００４４】
原稿搬送機構３（オートドキュメントフィーダ）は、原稿載置部３０１と、搬入ローラ対等を備えた搬入駆動部３０２と、搬送ローラ対３０３と、排出ローラ対３０４と、排紙台３０５と、原稿の有無を検出する原稿検出スイッチ３０６とを備え、原稿載置部３０１に載置された原稿を自動的に一枚ずつコンタクトガラス４０２に接触させつつ搬送し、原稿の露光走査後に排紙台３０５に排出するものである。
【００４５】
原稿搬送機構３は、その前面側が上方に移動可能となるように本体部２に対して回動自在に設けられている。原稿搬送機構３の前面側を上方に移動させたとき、コンタクトガラス（原稿載置台）４０１が露出される。
【００４６】
画像読取部４は、その上面にコンタクトガラス４０１及び４０２を備える。当該画像読取部４では、コンタクトガラス４０１が露出した状態で、当該コンタクトガラス４０１の上面に、原稿、例えば見開き状態にされた書籍等が載置される。
【００４７】
原稿読取部４は、コンタクトガラス４０１が露出した状態で当該コンタクトガラス４０１の上面に原稿が載置され、後述するスタートボタンが操作されたとき、当該原稿の画像データを図略のＣＣＤイメージセンサで読み取って、後述する制御部１０（図３参照）に出力する。
【００４８】
給紙部５は、サイズ、縦横向きの種類毎の用紙が収納される給紙カセット５０１，５０２および手挿し給紙部５０３を備える。また、給紙部５は、給紙カセット５０１，５０２から画像形成部１００へ用紙を搬送する搬送路５０４と、手挿し給紙部５０３から画像形成部１００へ用紙を搬送する搬送路５０５とを備える。
【００４９】
各給紙カセット５０１，５０２および手挿し給紙部５０３は、収納されている用紙（用紙）を取り出すためのピックアップローラ５０６，５０７，５０８と、用紙を１枚ずつ搬送路に送り出す給紙ローラ対５０９，５１０，５１１とを備える。
【００５０】
さらにまた、各給紙カセット５０１，５０２および手挿し給紙部５０３は、用紙の有無を検出する、図略のセンサを備える。
【００５１】
搬送路５０４は、用紙を搬送する搬送ローラ対５１２，５１３と、画像形成部１００の手前で搬送されてくる用紙を所定位置に待機させるためのレジストローラ対５１４とを備える。また、搬送路５０５は、レジストローラ対５１４の上流側で搬送路５０４と合流している。
【００５２】
画像形成部１００は、回転可能に支持されたドラム状の感光体１０１と、この感光体１０１の周囲に配設された帯電部１０２と、現像部１０３と、クリーニング部１０４と、レーザ走査ユニット１０５と、転写ローラ１０６と、定着ローラ対１０７とを備えている。
【００５３】
帯電部１０２は、感光体１０１の表面を所定電位に均一に帯電させるものである。レーザ走査ユニット１０５は、制御部１０（図３参照）から送信された画像データに基づきレーザービームを感光体１０１の表面に照射し、感光体１０１の表面に静電潜像を形成するものである。
【００５４】
現像部１０３は、静電潜像にトナーを付着させて画像を顕在化させるものであり、転写ローラ１０６は、顕在化したトナー像を用紙に転写するものであり、定着ローラ対１０７は、用紙に転写されたトナー像を定着させるものである。また、クリーニング部１０４は、画像転写後に感光体１０１の表面に残留しているトナーを清掃するものである。
【００５５】
装置本体２の上部には、用紙排出部１０８が設けられ、定着ローラ対１０７から搬送されてきた用紙が、排出ローラ対１０９により搬送され、用紙排出部１０８に排出される。また、排出ローラ対１１０は、定着ローラ対１０７から搬送されてきた用紙をフィニッシャ６に排出するもので、本体制御部１０からの制御信号に応じて駆動される排出分岐ガイド１１１により、用紙の排出方向を排出ローラ対１０９側と排出ローラ対１１０側とに切り換え可能になっている。
【００５６】
また、用紙の両面に画像を形成する場合は、画像形成部１００で用紙の一方の面に画像を形成した後、この用紙を排出ローラ対１０９にニップされた状態とする。この状態で排出ローラ対１０９を反転させて用紙をスイッチバックさせ、用紙を用紙搬送路Ｌに送って画像形成部１００の上流域に再度搬送し、画像形成部１００により他方の面に画像を形成した後、用紙を用紙排出部１０８に排出、又はフィニッシャ６に搬送する。
【００５７】
装置本体２からフィニッシャ６に向けて搬送された用紙は、フィニッシャ６において、パンチ処理、ステープル処理及びソート処理等が行われる。これらの処理を終えた用紙は、第１排出トレイ６１に排出される。第１排出トレイ６１の上部には、用紙束の上下又は中間に挿入するための用紙（インサートペーパ）が載置されるインサートトレイ６２と、このインサートトレイ６２に載置された用紙の挿入先となる用紙束が載置される用紙束載置トレイ６３と、用紙束載置トレイ６３に載置された用紙束から抜き出されて廃棄の対象となる用紙が収容される第２排出トレイ６４とが設けられている。
【００５８】
フィニッシャ６の搬入口６０１には、装置本体２の排出ローラ対１１０によって搬送されてきた用紙と、インサートトレイ６２から搬送されてきた用紙と、用紙束載置トレイ６３から搬送されてきた用紙とが搬入される。
【００５９】
インサートトレイ６２に載置されているインサートペーパは、給紙ローラ６２１〜６２４によって搬入口６０１まで搬送される。用紙束載置トレイ６３に載置された用紙束をなす用紙は、給紙ローラ６２５、６２３、６２４によって搬入口６０１まで搬送される。
【００６０】
フィニッシャ６では、上記の排出ローラ対１１０、給紙ローラ６２１〜６２５のそれぞれの回転駆動を制御することによって、装置本体２から排出される用紙と、インサートトレイ６２に載置されているインサートペーパと、用紙束載置トレイ６３に載置された用紙束をなす用紙とのいずれかを選択的に、搬入口６０１に搬送させることができるようになっている。なお、搬入口６０１を通過した用紙は、搬送ローラ６８０によって搬送される。
【００６１】
搬入口６０１の用紙搬送方向下流側には、搬送路切換機構６０２が設けられている。搬送路切換機構６０２は、ソレノイド等によって駆動され、搬入口６０１から続く用紙搬送路を、第２排出トレイ６４に繋がる用紙搬送路６４０と、第１排出トレイ６１に繋がる用紙搬送路６１０とのいずれかに分岐するものである。なお、第２排出トレイ６４に繋がる用紙搬送路６４０側に搬送された用紙は搬送ローラ６３１によって第２排出トレイ６４に排出され、第１排出トレイ６１に繋がる用紙搬送路６１０側に搬送された用紙は搬送ローラ６１１によって第１排出トレイ６１に排出されるようになっている。
【００６２】
搬送路切換機構６０３は、搬入口６０１から続く用紙搬送路を、第１排出トレイ６１に繋がる用紙搬送路６１０と、ステープル処理等を行うためのステープル処理部６５０に続く用紙搬送路６１２とのいずれかに分岐するものである。
【００６３】
搬入口６０１を通過した用紙を第１排出トレイ６１に排出する場合、搬送路切換機構６０２は用紙搬送路６４０側を遮断し、搬送路切換機構６０３は用紙搬送路６１２を遮断して、用紙を第１排出トレイ６１側に案内する。また、搬入口６０１を通過した用紙を第２排出トレイ６４に排出する場合、搬送路切換機構６０２は用紙搬送路６１０側を遮断して、用紙を第２排出トレイ６４側に案内する。なお、搬入口６０１を通過した用紙をステープル処理部６５０側に搬送させる場合、搬送路切換機構６０２は用紙搬送路６４０側を遮断し、搬送路切換機構６０３は用紙搬送路６１０を遮断して、用紙をステープル処理部６５０側に案内する。
【００６４】
上述した排出ローラ対１１０、給紙ローラ６２１〜６２５、搬送ローラ６８０及び６１１の回転駆動制御と、搬送路切換機構６０２、６０３の切換制御とにより、装置本体２から搬送されてきた用紙と、インサートトレイ６２に載置されているインサートペーパと、用紙束載置トレイ６３に載置された用紙束をなす用紙とを、第１排出トレイ６１又は第２排出トレイ６４に自在に振り分けることができるようになっている。
【００６５】
装置本体３の前方には、ユーザインタフェース部８が備えられている。図２は、ユーザインタフェース部８の構成の一例を示した図である。
【００６６】
ユーザインタフェース部８は、ユーザが操作画面や各種メッセージ等を、スキャナ機能待機画面画像Ｄ１として視覚的に提供したり、種々の操作命令を入力するためのものとして機能したりするものである。尚、スキャナ機能待機画面画像Ｄ１については、後述する。
【００６７】
そして、ユーザインタフェース部８は、表示部８０１、タッチパネル８０２、数字キー群８０３、各種操作ボタン８０４〜８０７、機能選択ボタン８０８を備える。
【００６８】
表示部８０１は、ＬＣＤ（Liquid Crystal Display）やＥＬＤ（Electronic Luminescent Display）等によって構成され、紙サイズ選択、倍率選択、濃度選択等のユーザに対する操作案内画面が表示される。この表示部８０１はタッチパネル８０２と一体的に形成されている。タッチパネル８０２は、ユーザによるタッチ操作がなされたら、タッチ位置を検知して検知信号を、後述する制御部１０へ出力するものである。
【００６９】
数字キー群８０３は、例えば、画像形成装置１のコピー機能を動作させる際はコピー枚数を、ファクシミリ機能を実行させる際は送信先の電話番号等を入力するためのものである。節電ボタン（Energy Saver）８０４は、画像形成装置１を節電（低電力）モードにするボタンである。
【００７０】
スタートボタン（Start）８０５はコピー機能やスキャナ機能等の実行指示を受け付けるためのボタンである。かかるスタートボタン８０５は、指示受付部を構成する。
【００７１】
また、ストップ／クリアボタン（Stop）８０６はコピー機能やスキャナ機能等の中止、入力操作の取り消しを行うボタンである。リセットボタン（Reset）８０７は表示部８０１の表示や各種設定を初期状態又は標準動作状態にするボタンである。
【００７２】
機能選択ボタン８０８は、コピー機能、スキャナ機能、ファクシミリ機能を設定するためのボタンであり、指示操作部を構成する。コピーボタン（Copy）８０８Ａが操作されたときに、表示制御部１３（図３参照）は、コピー機能を実行するための待機画面を表示部８０１に表示させる。
【００７３】
コピー機能とは、画像読取部４によって読み取られた画像データを用紙上に形成する機能をいう。尚、タッチパネル８０２の操作によって、フィニッシャ６によってステープル処理等の処理が行われるよう設定されているとき、制御部１０（図３参照）は、コピー機能によって画像データが形成された用紙をフィニッシャ６に搬送する。
【００７４】
また、スキャニングボタン（Document Box）８０８Ｂが操作されたときには、表示制御部１３（図３参照）は、スキャナ機能を実行するための待機画面を表示部８０１に表示させる。スキャナ機能とは、画像読取部４によって読み取られた画像データを、第２記憶部１５（図３参照）内に予め設けられたドキュメントボックス内に格納させる機能をいう。
【００７５】
さらにまた、ファクシミリボタン（Send）８０８Ｃが操作されたときには、表示制御部１３（図３参照）は、ファクシミリ機能を実行するための待機画面を表示部８０１に表示させる。ファクシミリ機能とは、画像読取部４によって読み取られた画像データを、電話回線網を通じて送信先のファクシミリ装置へ送信する機能をいう。
【００７６】
図３は、本実施形態に係る画像形成装置１の機能モジュールの一例を示したブロック図である。
【００７７】
画像形成装置１は、ユーザインタフェース部８、制御部１０、原稿搬送機構３、画像読取部４、画像形成部１００、電源部１８、給紙カセット５０１，５０２が配置された給紙部５、第１記憶部（記憶部）１４、第２記憶部１５、オプション装置の１つであるフィニッシャ６を画像形成装置１に取り付けるためのインタフェース１６、及び変動情報取得部１７を備える。尚、原稿搬送機構３、画像読取部４、画像形成部１００、及び給紙部５の機能については、先述した通りであるため説明を省略する。
【００７８】
かかる画像形成装置１において、ユーザインタフェース部８では、表示部８０１がタッチパネル８０２と一体的に形成されている。そして、ユーザインタフェース部８は、先述の各種操作ボタン８０３〜８０８を、操作部１８として備えている。尚、図３では、各種操作ボタン８０３〜８０８のうちスタートボタン８０５を図示している。
【００７９】
制御部１０は、マイクロコンピュータなどにより構成され、画像形成装置１を統括的に制御する。かかる制御部１０は、図示しない主電源がオンされたとき起動処理を開始して、画像形成装置１の各構成要素への駆動電力の供給を、電源部１８によって行う。
【００８０】
また、制御部１０は、通常モードと、画像形成装置１による消費電力を抑制させる省電力モードであるスリープモードとを実行し、各モードに応じて電源部１８の制御を行う。例えば、制御部１０は、通常モードでは、画像形成装置１の各構成要素に駆動電力を供給させ、スリープモードでは、少なくとも、原稿搬送機構３、画像読取部４、フィニッシャ６、及び給紙部５への駆動電力の供給を停止させる。
【００８１】
そして、制御部１０は、スリープモードから通常モードへの復帰の際には、起動処理を開始して、原稿搬送機構３、画像読取部４、フィニッシャ６、及び給紙部５への駆動電力の供給を、電源部１８によって開始させる。
【００８２】
そしてまた、制御部１０は、タッチパネル８０２から出力された検知信号に基づき、操作されたタッチパネル８０２上の操作ボタンを認識する。
【００８３】
かかる制御部１０は、表示制御部１３及び変動情報取得部１７を備える。表示制御部１３は、固定表示制御部１３Ａと変動表示制御部１３Ｂとを備える。
【００８４】
制御部１０は、変動情報取得部１７により取得された変動情報、例えば、原稿搬送機構３、フィニッシャ６、給紙カセット５０１，５０２等のオプション装置について、画像形成装置１への取付有無を表す情報に基づいて、画像形成装置１へ取り付けられているか否かを確認する。
【００８５】
そして、制御部１０は、原稿搬送機構３、フィニッシャ６、給紙カセット５０１，５０２等のオプション装置について、画像形成装置１へ取り付けられていることを確認したオプション装置に関する画像８０１Ｃ，８０１Ｄ，８０１Ｅ（図４参照）の表示部８０１における表示態様を、第２態様から第１態様に変更させる。
【００８６】
また、制御部１０は、給紙カセット５０１，５０２内の用紙有無を表す情報に基づいて、給紙カセット５０１，５０２内に用紙が有るか否かを判断する。そして、制御部１０は、変動表示制御部１３Ｂによって、用紙設定ボタンに関する画像８０２Ａ（図４参照）の表示部８０１における表示態様を、第２態様から第１態様に変更させる。
【００８７】
画像読取部４は、画像形成装置１に固定的に配置されており、ユーザによる画像形成装置１の使用の過程では、当該画像形成装置１への取付状態が、当該画像形成装置１の工場出荷時やメンテナンス時から変化しない。そして、当該画像読取部４が使用されて、後述するスキャナ機能が実行される。
【００８８】
一方で、画像読取部４とは異なり、原稿搬送機構３、及び給紙カセット５０１，５０２は、画像形成装置１に着脱自在に配置されており、前記使用の過程で、前記取付状態が工場出荷時やメンテナンス時から変化しうる。そして、原稿搬送機構３及び給紙カセット５０１，５０２が使用されて、後述するコピー機能が実行される。
【００８９】
さらに、フィニッシャ６も、原稿搬送機構３、及び給紙カセット５０１，５０２と同様に、画像形成装置１に着脱自在に配置されており、前記使用の過程で、前記取付状態が工場出荷時やメンテナンス時から変化しうる。
【００９０】
当該フィニッシャ６は、電源部１８による駆動電力の供給を受けて駆動する。尚、オプション装置としては、フィニッシャ６が例示されているが、この例には限られず、画像形成装置１に取り付けられるオプション装置は、例えば、外付けのハードディスク装置であってもよい。
【００９１】
電源部１８は、商用交流電力を直流電力に変化するとともに降圧することにより、画像形成装置１の駆動電力を生成する。そして、電源部１８は、制御部１０の制御を受けて、画像形成装置１の各構成要素に駆動電力を供給する。
【００９２】
第１記憶部１４は、ＳＤＲＡＭ（Synchronous Dynamic Random Access Memory）１４Ａ、及びＲＯＭ（Read Only Memory）１４Ｂを備えて構成されている。
【００９３】
第１記憶部１４において、ＲＯＭ１４Ｂには、予め、表示部８０１の１画面分の画像（以下、スキャナ機能待機画面画像Ｄ１という）を示す画像データが予め記憶されている。そして、スキャナ機能待機画面画像Ｄ１は、固定情報、例えば、画像読取部４の画像形成装置１への取付有無を示す情報を、後述する第１態様で示し、変動情報、例えば、原稿搬送機構３、給紙カセット５０１，５０２、フィニッシャ６について、画像形成装置１への取付有無を示す情報を、後述する第２態様で示している。
【００９４】
ここにおいて、固定情報とは、ユーザの画像形成装置１の使用過程で変動しない情報である。例えば、画像データを読み取るＣＣＤイメージセンサ、当該ＣＣＤイメージセンサを移動させるモータ、ＣＣＤイメージセンサにより読み取られた画像データを処理する画像処理ＡＳＩＣ等、スキャナ機能に使用される要素については、画像形成装置１の工場出荷時から、当該画像形成装置１に取り付けられた状態を維持する。
【００９５】
そのため、固定情報、例えば、スキャナ機能に使用される画像読取部４の取付有無を示す情報を第１記憶部１４に記憶させておけば、制御部１０は、第１記憶部１４から固定情報を読み出すだけで、速やかに当該固定情報が判る。
【００９６】
一方で、スキャナ機能待機画面画像Ｄ１は、固定情報、例えば、スキャナ機能に使用される画像読取部４の取付有無を示す情報をユーザに知らせるために、当該固定情報に関する画像を第１態様で示している。
【００９７】
また、変動情報とは、ユーザの画像形成装置１の使用過程で変動しうる情報である。例えば、原稿搬送機構３、給紙カセット５０１，５０２、及びフィニッシャ６について、画像形成装置１への取付有無を示す情報は、画像形成装置１の工場出荷時から、ユーザの使用過程で変動しうる。
【００９８】
そのため、当該変動情報については、変動情報取得部１７が以下の処理を行って取得する。
【００９９】
例えば、変動情報取得部１７は、原稿搬送機構３が画像形成装置１に取り付けられていることを検知するセンサ（不図示）と通信を行って、原稿搬送機構３が画像形成装置１に取り付けられていることを表す信号を受信することにより、原稿搬送機構３の取付有無を表す変動情報を取得する。
【０１００】
或いは、変動情報取得部１７は、給紙カセット５０１，５０２が取り付けられていることを検知するセンサ（不図示）と通信を行って、給紙カセット５０１，５０２が画像形成装置１に取り付けられていることを表す信号を受信することにより、給紙カセット５０１，５０２の取付有無を表す変動情報を取得する。
【０１０１】
或いは、変動情報取得部１７は、給紙カセット５０１，５０２内の用紙有を検知するセンサ（不図示）や、給紙カセット５０１，５０２内の用紙サイズを検知するセンサ（不図示）と通信を行って、各センサからの検知信号を受信することにより、給紙カセット５０１，５０２内の用紙有無や用紙サイズを表す情報を取得する。
【０１０２】
変動情報取得部１７は、以上に示す各センサと順次通信を行うことにより、各変動情報を取得する。そして、変動情報取得部１７が各変動情報を順次取得している途中には、各変動情報を取得中であることが表示部８０１に表示されていなければ、ユーザは、一定時間経過後に、変動情報に関連する機能、例えばコピー機能を実行できるのかどうかが判らない。そのため、スキャナ機能待機画面画像Ｄ１は、変動情報に関する画像を第２態様で示している。
【０１０３】
表示制御部１３において、固定表示制御部１３Ａは、画像形成装置の起動時、例えば、主電源がオンされた時、或いは、スリープモードから通常モードへ復帰する時に、ＲＯＭ１４Ｂに予め記憶されている画像データを読み出してＳＤＲＡＭ１４Ｂに移す。そして、固定表示制御部１３Ａは、ＳＤＲＡＭ１４Ｂに移された画像データで示されるスキャナ機能待機画面画像Ｄ１（図４参照）を表示部８０１に表示させる。
【０１０４】
変動表示制御部１３Ｂは、例えば、原稿搬送機構３、フィニッシャ５、給紙カセット５０１，５０２について、制御部１０が、変動情報取得部１７によって取得された変動情報に基づいて画像形成装置１へ取り付けられていると判断した要素に関する画像の表示態様を、第２態様から第１態様に変更する。
【０１０５】
第２記憶部１５は、例えば、ハードディスク等の不揮発性メモリにより構成されており、複数のドキュメントボックスに区分されている。そして、各ドキュメントボックスには、画像読取部４によって読み取られた画像データが格納される。
【０１０６】
図４は、スキャナ機能待機画面画像Ｄ１の一例を示した図である。スキャナ機能待機画面画像Ｄ１は、機能、例えばスキャナ機能が実行可能であることを表す文字（Ready to Scanner）の画像８０１Ａを含んでいる。
【０１０７】
また、スキャナ機能待機画面画像Ｄ１は、固定情報、例えば、画像読取部４が画像形成装置１に取り付けられていることを表す情報を示し、画像読取部４の外観を表す画像８０１Ｂを含んでいる。そして、当該画像８０１Ｂは、実線により表されている。
【０１０８】
さらにまた、スキャナ機能待機画面画像Ｄ１は、変動情報取得部１７が、変動情報、例えば、原稿搬送機構３、フィニッシャ６、給紙カセット５０１，５０２について、画像形成装置１への取付有無を表す情報を取得している途中であることを示すために、破線で表された画像８０１Ｃ，８０１Ｄ，８０１Ｅを含んでいる。
【０１０９】
ここにおいて、画像８０１Ｃは、原稿搬送機構３の画像形成装置１への取付有無を表す情報を取得している途中であることを表し、原稿搬送機構３の外観を表す画像である。
【０１１０】
また、画像８０１Ｄは、フィニッシャ６の画像形成装置１への取付有無を表す情報を取得している途中であることを表し、フィニッシャ６の外観を表す画像である。
【０１１１】
さらにまた、画像８０１Ｅは、給紙カセット５０１，５０２の画像形成装置１への取付有無を表す情報を取得している途中であることを表し、給紙カセット５０１，５０２の外観を表す画像である。
【０１１２】
さらにまた、スキャナ機能待機画面画像Ｄ１は、コピー機能に対応する初期設定を表す情報８０１Ｆを含んでいる。
【０１１３】
さらにまた、スキャナ機能待機画面画像Ｄ１は、用紙設定ボタンを示す画像８０２Ａを含んでいる。かかる画像８０２Ａは、破線の輪郭を有した状態で含まれている。そして、画像８０２Ａは、変動情報取得部１７によって給紙カセット５０１，５０２における用紙の有無を表す情報が取得され、制御部１０により、給紙カセット５０１，５０２内に用紙が有ると判断されると、破線の輪郭が、変動表示制御部１３Ｂにより実線の輪郭に変更され、用紙設定ボタン８０２Ａ１を表す画像（図７参照）となる。
【０１１４】
ここにおいて、用紙設定ボタン８０２Ａ１は、スタートボタン８０５と同様に、指示受付部を構成する。
【０１１５】
尚、本実施形態では、第２態様として、画像８０２Ａのように、実線の文字画像を破線の輪郭で囲む態様を例示しており、第１態様として、用紙設定ボタン８０２Ａ１を表す画像のように、実線の文字画像を実線の輪郭で囲む態様を例示している。
【０１１６】
しかしながら、本発明はこの例には限られず、第１態様が、文字画像を破線で表す態様であり、第２態様が、文字画像を実線で表す態様であってもよい。
【０１１７】
また、画像８０２Ａを赤色で、用紙設定ボタン８０２Ａ１を表す画像を黒色でそれぞれ表示するというように、同じ操作ボタンや情報を表す画像を、第１態様と第２態様とで異なる色で表示してもよい。
【０１１８】
さらにまた、画像８０２Ａを点滅した状態で、用紙設定ボタン８０２Ａ１を表す画像を点滅しない状態でそれぞれ表示するというように、同じ操作ボタンや情報を表す画像を、第１態様では点滅させ、第２態様では点滅させない状態で表示してもよい。また、その逆であってもよい。
【０１１９】
つまり、変動情報取得部１７により変動情報が取得されている途中と、取得された後との区別をユーザが容易に行うことができるように、同じ操作ボタンや情報を表す画像の表示態様を、第１態様と第２態様とで異ならせていればよい。
【０１２０】
さらにまた、スキャナ機能待機画面画像Ｄ１は、操作ボタンの画像８０２Ｂ〜８０２Ｆを含んでいる。
【０１２１】
画像８０２Ｂで表される倍率操作ボタン（Reduce/Enlarge）は、コピー機能により用紙に画像データが形成されるときの倍率の選択を受け付けるものである。画像８０２Ｃで表されるステープル／パンチ選択ボタン（Staple/Punch）は、フィニッシャ６によりステープル処理及び穴空け処理のいずれを実行させるかの選択を受け付けるものである。
【０１２２】
画像８０２Ｄで表される濃度操作ボタン（Density）は、コピー機能により用紙に画像データが形成されるときの濃度の設定を受け付けるものである。画像８０２Ｅで表される片面／両面選択ボタン（Duplex）は、コピー機能により用紙の片面のみに印刷するか両面に印刷するかの選択を受け付けるものである。画像８０２Ｆで表される結合操作ボタン（Combine）は、予めスキャンされた複数の画像データを１つの印刷ジョブで印刷するか否かの設定を受け付けるものである。
【０１２３】
さらにまた、スキャナ機能待機画面画像Ｄ１は、設定タブ８０２Ｇ〜８０２Ｋを含んでいる。各設定タブが操作されたとき、操作された設定タブに応じた操作ボタンが表示される。さらにまた、スキャナ機能待機画面画像Ｄ１は、複数のショートカットボタン８０２Ｌを含んでいる。各ショートカットボタン８０２Ｌが操作されたとき、当該ショートカットボタン８０２Ｌに対応する機能を行うための設定画面が表示される。
【０１２４】
かかる構成のスキャナ機能待機画面画像Ｄ１は、以下の表示制御処理によって表示される。図５及び図６は、表示制御処理の概要の一例を示したフローチャートである。
【０１２５】
画像形成装置１では、当該画像形成装置１の起動時、例えば、電源投入時や、スリープモードから通常モードへの復帰時に（ステップＳ１のＹＥＳ）、制御部１０は、電源部１８によって、原稿搬送機構３、画像読取部４、フィニッシャ６、及び給紙部５へ電力を供給させる（ステップＳ２）。
【０１２６】
このとき、固定表示制御部１３Ａは、スキャナ機能待機画面画像Ｄ１を表示部８０１に表示させる（ステップＳ３）。そして、制御部１０は、スキャナ機能の実行指示に対して待機する。（ステップＳ４）。
【０１２７】
そして、変動情報取得部１７は、変動情報、例えば、原稿搬送機構３、フィニッシャ６、給紙カセット５０１，５０２についての、画像形成装置１への取付有無を表す情報や、給紙カセット５０１，５０２内の用紙有無や用紙サイズを表す情報を取得する処理を開始する（ステップＳ５）。
【０１２８】
そして、ステップＳ５における処理が行われている途中に（ステップＳ８及びＳ１０のＮＯ）、スタートボタン８０５が操作されたとき（ステップＳ６のＹＥＳ）、制御部１０は、画像読取部４が画像形成装置１に取り付けられていることを表す情報に関連する機能、例えば、スキャナ機能を実行する（ステップＳ７）。
【０１２９】
以上のように、画像形成装置１は、電源投入時やスリープモードから通常モードへの復帰時に、変動情報を取得している間に、固定情報に関連する機能を実行させるため、電源投入や通常モードへの復帰が何度行われようと、スキャナ機能を実行させたいユーザの利便性を損なうことがない。その結果、省エネルギーを図りつつ、ユーザの利便性を向上させることができる。
【０１３０】
そして、変動情報取得部１７によって、原稿搬送機構３、フィニッシャ６、及び給紙部５のうちいずれかについて、画像形成装置１への取付有無を表す情報を取得できたとき、或いは、給紙カセット５０１，５０２における用紙有無を表す情報を取得できたときには（ステップＳ８のＹＥＳ）、制御部１０は、以下の処理を行う。
【０１３１】
例えば、制御部１０は、原稿搬送機構３、フィニッシャ６、及び給紙部５のうち、画像形成装置１への取付有無を表す情報が取得された要素が、画像形成装置１に取り付けられているか否かを判断する。
【０１３２】
また、制御部１０は、給紙カセット５０１，５０２内の用紙有無や用紙サイズを表す情報に基づいて、給紙カセット５０１、５０２内の用紙有無や用紙サイズを判断する。
【０１３３】
そして、制御部１０は、画像形成装置１に取り付けられているとされた要素について、変動表示制御部１３Ｂによって、画像８０１Ｃ，８０１Ｄ，８０１Ｅ（図４参照）のうち当該要素に対応する画像の輪郭を、破線から実線に変更させる（ステップＳ９）。
【０１３４】
また、ステップＳ９では、制御部１０は、給紙カセット５０１，５０２内に用紙が有ると判断したとき、画像８０２Ａ（図４参照）の輪郭を、破線から実線に変更させる。
【０１３５】
そして、制御部１０は、全ての変動情報が取得されるまでの間は（ステップＳ１０のＮＯ）、スタートボタン８０５が操作されると（ステップＳ６のＹＥＳ）、スキャナ機能を実行する（ステップＳ７）。
【０１３６】
そして、コピー機能に必要な変動情報、例えば、原稿搬送機構３が画像形成装置１に取り付けられていることを表す情報、及び、給紙カセット５０１，５０２が画像形成装置１に取り付けられていることを表す情報を取得できたとき（ステップＳ１０）、制御部１０は、スキャナ機能待機画面画像Ｄ１において、「Ready to Scanner」の文字を、「Ready to Copy」の文字に変更して、コピー機能の実行が可能になったことをユーザに通知して、コピー機能の実行指示に対して待機する（ステップＳ１１）。
【０１３７】
そして、制御部１０は、スタートボタン８０５が操作されると（ステップＳ１２のＹＥＳ）、コピー機能を実行させる（ステップＳ１３）。
【０１３８】
ステップＳ１３では、制御部１０は、例えば、給紙部５によって給紙カセット５０１，５０２から用紙を繰り出させ、当該用紙上に、画像読取部４によって読み取られた画像データを画像形成部１００によって形成させる。
【０１３９】
尚、制御部１０は、変動情報取得部１７によるステップＳ５の処理を開始させてから一定時間の間に、原稿搬送機構３、フィニッシャ６、及び給紙部５のうち、画像形成装置１への取付有無を表す情報が取得できなかった要素については、当該要素に対応する図形の画像を、スキャナ機能待機画面画像Ｄ１から消去する。
【０１４０】
図７は、コピー実行指示待機画面の一例を示した図である。かかるコピー実行指示待機画面は、制御部１０によって、変動情報取得部１７により取得した変動情報に基づいて、原稿搬送機構３、フィニッシャ６、給紙カセット５０１，５０２が画像形成装置１に取り付けられていると判断され、且つ、給紙カセット５０１，５０２内に用紙が有ると判断されたときに、表示部８０１に表示される。
【０１４１】
尚、図７に示すコピー実行指示待機画面において、図４に示された構成要素については、同一の符号を付して説明を省略する。
【０１４２】
コピー実行指示待機画面では、スキャナ機能が実行可能であることを表す文字画像８０１Ａ（図４参照）に代えて、原稿搬送機構３、フィニッシャ５、及び給紙カセット５０１，５０２を用いて実行される機能であるコピー機能が実行可能であることを表す文字画像（Ready to Copy）８０１Ａ１が表示されている。
【０１４３】
また、コピー実行指示待機画面では、画像８０１Ｃ，８０１Ｄ，８０１Ｅ（図４参照）に代えて、第１態様の画像、つまり実線の画像８０１Ｃ１，８０１Ｄ１，８０１Ｅ１が表示されている。
【０１４４】
画像８０１Ｃ１は、画像８０１Ｃの輪郭が破線から実線に変更されたものであり、原稿搬送機構３が画像形成装置１に取り付けられている状態にあることを表す。また、画像８０１Ｄ１は、画像８０１Ｄの輪郭が破線から実線に変更されたものであり、フィニッシャ６が画像形成装置１に取り付けられている状態にあることを表す。
【０１４５】
さらにまた、画像８０１Ｅ１は、画像８０１Ｅの輪郭が破線から実線に変更されたものであり、給紙カセット５０１，５０２が画像形成装置１に取り付けられている状態にあることを表す。
【０１４６】
さらにまた、コピー実行指示待機画面では、用紙設定ボタン８０１Ａ１に関する画像８０１Ａ（図４参照）に代えて、用紙設定ボタン８０２Ａ１の画像が表示されている。かかる画像は、画像８０２Ａの輪郭が破線から実線に変更されたものである。
【０１４７】
かかる用紙設定ボタン８０２Ａ１の画像は、変動情報取得部１７によって、給紙カセット５０１，５０２内に収納されている用紙の有無や用紙サイズを取得できたときに表示されるものであり、ユーザの操作を受け付けることによって、用紙サイズの設定を受け付ける。
【符号の説明】
【０１４８】
１    画像形成装置
３    原稿搬送機構
４    画像読取部
５    給紙部
５０１，５０２    給紙カセット
６    フィニッシャ）
１０    制御部
１３    表示制御部
１３Ａ    固定表示制御部
１３Ｂ    変動表示制御部
１４    第１記憶部
１７    変動情報取得部
８０１    表示部
８０２    タッチパネル
８０２Ａ１    用紙設定ボタン
８０５    スタートボタン
【図１】
0005417278.tif 000002
【図２】
0005417278.tif 000003
【図３】
0005417278.tif 000004
【図４】
0005417278.tif 000005
【図５】
0005417278.tif 000006
【図６】
0005417278.tif 000007
【図７】
0005417278.tif 000008